(57)【要約】【課題】光源部から照射された光を効率よく導光板の内部に取り込んで、光の利用効率を向上させることが可能な電子機器およびこれを備えた表示装置、制御機器を提供する。【解決手段】温度調節器１０は、制御基板２１とＬＥＤ２２と反射シート２３と導光板２４とを備えている。ＬＥＤ２２ａ，２２ｂは、制御基板２１上に実装され、制御基板２１の表面に平行な方向に光を照射する。反射シート２３は、制御基板２１上におけるＬＥＤ２２ａ，２２ｂと隣接する位置に所定の間隔を空けて設けられ、光を制御基板２１に対して交差する方向へ反射する。導光板２４は、反射シート２３上に配置され、ＬＥＤ２２ａ，２２ｂにおける光照射側の端面とこれに対向する反射シート２３の端面との間の隙間内に突出する突出部２５を有している。導光板２４は、突出部２５を含む側面２４ａからＬＥＤ２２ａ，２２ｂから照射された光を取り込んで前面２４ｂにおいて面発光させる。【選択図】図６
2015162429.tif 000002
【特許請求の範囲】
【請求項１】
基板と、
前記基板上に実装され、前記基板の表面に沿って光を照射する光源部と、
前記基板上における前記光源部と隣接する位置に所定の間隔を空けて設けられており、光を前記基板に対して交差する方向へ反射する平面状の反射部と、
前記反射部上に配置されているとともに、前記光源部における光照射側の端面とこれに対向する前記反射部の端面との間に形成された隙間内に突出する突出部を有し、前記突出部を含む側面から前記光源部から照射された光を取り込んで前記反射部とは反対側の発光面において面発光させる平板状の導光板と、
を備えている電子機器。
【請求項２】
前記突出部は、前記光源部側から前記反射部側に向かって前記基板の表面から離れる方向に傾斜する傾斜面を含むように形成されている、
請求項１に記載の電子機器。
【請求項３】
前記傾斜面は、前記基板の表面に対して、０度よりも大きく４５度以下の範囲の傾斜を有している、
請求項２に記載の電子機器。
【請求項４】
前記突出部は、前記導光板における前記反射部側の面から、前記反射部の厚さの分だけ前記基板の方へ突出している、
請求項１から３のいずれか１項に記載の電子機器。
【請求項５】
前記突出部は、前記光源部における光を照射する開口部分の正面を覆うように、前記基板の表面まで突出している、
請求項１から４のいずれか１項に記載の電子機器。
【請求項６】
前記導光板は、前記光源部側の側面と前記発光面とが交差する部分に形成されており、前記発光面の一部を凹ませた切欠き部を、さらに有している、
請求項１から５のいずれか１項に記載の電子機器。
【請求項７】
前記導光板の側面外周を取り囲むとともに、前記導光板に形成された前記切欠き部上に配置されており、前記導光板の内部に取り込まれた光を前記導光板の内部において反射させる反射枠体を、さらに備えている、
請求項６に記載の電子機器。
【請求項８】
請求項１から７のいずれか１項に記載の電子機器と、
前記導光板から面発光された光が照射される表示パネルと、
を備えた表示装置。
【請求項９】
請求項８に記載の表示装置と、
前記表示装置に表示される実測値、設定値に基づいて各種設定が入力される入力部と、
を備えた制御機器。
【発明の詳細な説明】
【技術分野】
【０００１】
本発明は、例えば、温度調節器、タイマ、カウンタ等に搭載される電子機器およびこれを備えた表示装置、制御機器に関する。
【背景技術】
【０００２】
近年、外部機器の制御パネル等に組み込まれており、温度制御対象となるワークの温度が所望の温度になるように温度制御を行う温度調節器が用いられている。
このような温度調節器は、主として、温度制御対象となるワークの温度が所定の設定温度になるようにヒータのＯＮ／ＯＦＦ制御を行う制御部と、設定温度、実測温度等を表示する表示装置と、表示装置に表示された実測温度等に基づいて各種設定入力を行う入力部と、を備えている。
【０００３】
例えば、特許文献１には、温度調節器の表示ユニットの部分に、基板と、基板上に実装されたＬＥＤ（光源部）と、ＬＥＤに隣接する基板上の位置に設けられた反射シートと、反射シート上に設けられた導光板と、導光板から光が面照射される液晶表示パネルと、を備えた構成が開示されている。
【先行技術文献】
【特許文献】
【０００４】
【特許文献１】特許第５３４８１５８号公報
【発明の概要】
【発明が解決しようとする課題】
【０００５】
しかしながら、上記従来の温度調節器では、以下に示すような問題点を有している。
すなわち、上記公報に開示された温度調節器では、基板上に実装されたＬＥＤの光を照射する開口部分の正面に、平面状の反射シートが設けられている。このため、反射シートの上に平板状の導光板を重ねた構成では、導光板は反射シートの厚み分だけ基板から離れた位置に配置される。
【０００６】
この場合、導光板を、ＬＥＤの光を照射する開口部分の正面全体を覆う位置まで配置することができない。よって、ＬＥＤの光を照射する開口部分から照射される光を導光板の内部に効率よく取り込むことができず、ＬＥＤから照射される光の利用効率が低下してしまうおそれがある。
本発明の課題は、光源部から照射された光を効率よく導光板の内部に取り込んで、光の利用効率を向上させることが可能な電子機器およびこれを備えた表示装置、制御機器を提供することにある。
【課題を解決するための手段】
【０００７】
第１の発明に係る電子機器は、基板と、光源部と、平面状の反射部と、平板状の導光板と、を備えている。光源部は、基板上に実装され、基板の表面に沿って光を照射する。平面状の反射部は、基板上における光源部と隣接する位置に所定の間隔を空けて設けられており、光を基板に対して交差する方向へ反射する。平板状の導光板は、反射部上に配置されている。導光板は、光源部における光照射側の端面とこれに対向する反射部の端面との間に形成された隙間内に突出する突出部を有している。導光板は、突出部を含む側面から光源部から照射された光を取り込んで反射部とは反対側の発光面において面発光させる。
【０００８】
ここでは、基板上に実装された光源部から基板の表面に沿って照射される光を、基板上に配置された平面状の反射部の上面に積層配置された導光板の内部に取り込んで、所望の方向へ面照射する電子機器において、基板上における光源部と反射部との間の隙間内に、導光板の一部を突出させた突出部を設けている。
ここで、光源部には、ＬＥＤ等が含まれる。また、反射部には、表面に光の反射面を有するシート状の部材や基板上に光を反射する塗料等が塗布された部分等が含まれる。
【０００９】
これにより、導光板が光源部よりも反射部の厚み分だけ高い位置に配置された構成であっても、導光板が配置されていなかった光源部の光を照射する開口部分の正面まで、導光板の一部である突出部を設けることができる。
よって、基板上に実装された光源部から照射される光を、突出部を含む導光板の側面部分において取り込むことができる。この結果、従来よりも光源部から照射される光を効率よく取り込んで、光の利用効率を向上させることができる。
【００１０】
第２の発明に係る電子機器は、第１の発明に係る電子機器であって、突出部は、光源部側から反射部側に向かって基板の表面から離れる方向に傾斜する傾斜面を含むように形成されている。
ここでは、導光板の一部として形成された突出部には、光源部側から反射部側に向かって基板の表面から離れる方向（発光面に近づく方向）に傾斜する傾斜面、すなわち、反射部側から光源部側に向かって基板の表面に近づく方向（発光面から離れる方向）に傾斜する傾斜面が含まれる。
【００１１】
これにより、光源部から基板の表面に沿って照射された光は、傾斜面に当たって導光板における発光面側へと反射される。この結果、突出部によって導光板の内部に取り込まれた光を、例えば、表示パネル等が配置された所望の方向へ導くことができる。
【００１２】
第３の発明に係る電子機器は、第１または第２の発明に係る電子機器であって、傾斜面は、基板の表面に対して、０度よりも大きく４５度以下の範囲の傾斜を有している。
ここでは、導光板の一部として形成された突出部を構成する傾斜面の角度を、上記範囲になるように設定している。
これにより、傾斜面は光の照射方向に対して鈍角に配置されるため、突出部によって導光板の内部に取り込まれた光が導光板の側方等から出てしまうことを防止することができる。この結果、突出部において導光板の内部に取り込まれた光を所望の方向へ導いて、光の利用効率を向上させることができる。
【００１３】
第４の発明に係る電子機器は、第１から第３の発明のいずれか１つに係る電子機器であって、突出部は、導光板における反射部側の面から、反射部の厚さ分だけ基板の方へ突出している。
ここでは、突出部を、反射部の厚さに相当する量だけ基板側へ突出させる。
これにより、導光板が基板から反射部の厚さ分だけ持ち上げられた位置に配置された構成においても、導光板の一部として形成された突出部を、基板上に実装された光源部の光照射側の開口部分の正面を覆う位置まで設けることができる。
この結果、光源部の光照射開口から照射される光を効率よく導光板の内部に取り込むことができる。よって、従来よりも、光の利用効率を向上させることができる。
【００１４】
第５の発明に係る電子機器は、第１から第４の発明のいずれか１つに係る電子機器であって、突出部は、光源部における光を照射する開口部分の正面を覆うように、基板の表面まで突出している。
【００１５】
ここでは、突出部を、光源部の光を照射する開口部分の正面を覆う位置、すなわち基板の表面まで突出させる。
なお、突出部が基板の表面まで突出するとは、基板の表面に接触するまでという厳密な意味ではなく、基板の表面付近まで突出した構成も含まれる。
これにより、導光板が基板から反射部の厚さ分だけ持ち上げられた位置に配置された構成においても、導光板の一部として形成された突出部を、基板上に実装された光源部の光照射側の開口部分の正面を覆う位置まで設けることができる。
この結果、光源部の光照射開口から照射される光を効率よく導光板の内部に取り込むことができる。よって、従来よりも光の利用効率を向上させることができる。
【００１６】
第６の発明に係る電子機器は、第１から第５の発明のいずれか１つに係る電子機器であって、導光板は、光源部側の側面と発光面とが交差する部分に形成されており、発光面の一部を凹ませた切欠き部を、さらに有している。
【００１７】
ここでは、導光板における光源部側、すなわち突出部が形成されている側の側面と発光面とが交差する部分に、凹状の切欠き部を設けている。
これにより、導光板における突出部が形成されている側の側面と発光面とが交差する部分に切欠き部を設けたことで、光源部から突出部の傾斜面等に反射されて上方に抜けていく光を、切欠き部によって導光板の内部に閉じ込めることができる。この結果、突出部において導光板の内部に取り込まれた光が外部へ漏れ出すことを防止して、光の利用効率を向上させることができる。
【００１８】
第７の発明に係る電子機器は、第６の発明に係る電子機器であって、導光板の外周を取り囲むとともに、導光板に形成された切欠き部上に配置されており、導光板の内部に取り込まれた光を導光板の内部において反射させる反射枠体を、さらに備えている。
ここでは、導光板の側面外周および切欠き部を覆う反射枠体を設けている。
これにより、導光板の外周および切欠き部を覆う反射枠体を設けたことで、導光板の側面から外部に出て行く光、および光源部から突出部の傾斜面等に反射されて上方に出て行く光を、切欠き部および反射枠体によって導光板の内部に閉じ込めることができる。この結果、突出部において導光板の内部に取り込まれた光が外部へ漏れ出すことを防止して、光の利用効率を向上させることができる。
【００１９】
第８の発明に係る表示装置は、第１から第６の発明のいずれか１つに係る電子機器と、導光板から面発光された光が照射される表示パネルと、を備えている。
ここでは、上述した電子機器を備えた表示装置であって、側面から導光板に取り込まれた光を、表示パネルが配置された側の面から照射する。
これにより、光源部から照射された光の利用効率が高い表示装置を得ることができる。
【００２０】
第９の発明に係る制御機器は、第８の発明に係る表示装置と、表示装置に表示される実測値、設定値に基づいて各種設定が入力される入力部と、を備えている。
ここでは、上述した電子機器を備えた表示装置を搭載した制御機器であって、表示装置において表示される実測値や設定値に基づいて、各種設定入力が行われる。
これにより、光源部から照射された光の利用効率が高い表示装置を搭載した制御機器を得ることができる。
【発明の効果】
【００２１】
本発明に係る電子機器によれば、従来よりも光源部から照射される光を効率よく取り込んで、光の利用効率を向上させることができる。
【図面の簡単な説明】
【００２２】
【図１】本発明の一実施形態に係る温度調節器の全体構成を示す斜視図。
【図２】図１の温度調節器の構成を示す分解斜視図。
【図３】図１の温度調節器に含まれる表示ユニットの構成を示す分解斜視図。
【図４】図１の表示ユニットに含まれるＬＥＤの構成を示す正面図。
【図５】図３の表示ユニットの一部を拡大した断面図。
【図６】図５のＡ部分の拡大図。
【図７】図４の表示ユニットに含まれる導光板の側面付近に配置されたＬＥＤと導光板の表面に形成されたドットパターンを示す平面図。
【図８】図４の表示ユニットに含まれる導光板の構成を示す斜視図。
【発明を実施するための形態】
【００２３】
本発明の一実施形態に係る電子機器を含む温度調節器（制御機器）１０について、図１〜図８を用いて説明すれば以下の通りである。
なお、以下の説明において、前後方向とは、図１および図２に示すように、温度調節器１０の液晶表示パネル２８の表示画面側を前面、その反対を後面（背面）とした場合の方向を意味している。また、左右方向とは、温度調節器１０の液晶表示パネル２８の表示画面を正面に見た状態の左右方向を意味している。
【００２４】
（温度調節器１０の構成）
本実施形態に係る温度調節器１０は、例えば、工場に設置された制御パネル等に組み込まれており、温度センサ等によって検出されたワーク（温度制御対象物）の実測温度を示す信号が入力される。そして、温度調節器１０は、ワークの実測温度が設定温度になるようにヒータ等の加熱手段を制御して温度制御を行う。
【００２５】
より具体的には、温度調節器１０は、操作ボタン２８ｄ（図１参照）が操作されることにより、温度制御の目標値となる設定温度が入力される。そして、温度調節器１０は、入力された設定温度とワークの実測温度とを、表示ユニット２０の液晶表示パネル２８の表示領域にデジタル表示する、さらに、温度調節器１０は、設定温度と実測温度との差の大きさに応じて、ワークを加熱するヒータ等の加熱手段のＯＮ／ＯＦＦ制御を行うことで温度制御を行う。
【００２６】
また、温度調節器１０は、図１および図２に示すように、略直方体形状の筐体部１１と、筐体部１１内に配置された表示ユニット（表示装置）２０と、を備えている。
（筐体部１１）
筐体部１１は、略直方体形状の内部に表示ユニット２０を格納する格納空間を形成するとともに、前面側に表示ユニット２０の表示画面が設けられている。また、筐体部１１は、図２に示すように、フロントケース１２と、リアケース１３と、フロントカバー１４と、を有している。
【００２７】
フロントケース１２は、筐体部１１の前面側の部分を構成する部材であって、図２に示すように、表示窓１２ａ、支持枠体１２ｂを有している。
表示窓１２ａは、フロントケース１２の前面側に形成された開口部分であって、後述する表示ユニット２０の液晶表示パネル２８が外側から視認可能な状態で設けられている。  支持枠体１２ｂは、フロントカバー１４の背面側からリアケース１３側に延伸するように形成された複数の板状部材であって、リアケース１３内に配置された複数の基板を含む制御基板ユニット３０に対して、先端の爪状部分が固定される。支持枠体１２ｂを構成する複数の板状部材の間には、図２に示すように、フロントケース１２の前面側から背面側に向かって、後述する表示ユニット２０の各構成（表示シート２９、液晶表示パネル２８、拡散シート２７、反射枠体２６、導光板２４、反射シート２３、ＬＥＤ２２ａ，２２ｂ、制御基板２１）が順に配置されている。
【００２８】
リアケース１３は、前面側および背面側が開口した筒状の部材であって、図２に示すように、背面側の開口部分には、温度調節器１０を外部機器に対して電気的に接続するための端子台１３ａが設けられている。また、リアケース１３は、端子台１３ａを介して外部機器を制御するための制御基板ユニット３０を内包している。さらに、リアケース１３は、制御基板ユニット３０に電気的に接続された状態で表示ユニット２０を内包している。
【００２９】
フロントカバー１４は、フロントケース１２における液晶表示パネル２８の表示部を覆うように、フロントケース１２の前面に設けられている。また、フロントカバー１４は、液晶表示パネル２８の表示部を前面側から視認可能であって、かつ操作ボタン２８ｄを前面側から操作可能とするために、軟質の透明樹脂等を用いて形成されている。
（表示ユニット２０）
表示ユニット２０は、温度調節器１０に関する各種表示を行う表示装置であって、上述した温度制御対象となるワークの実測温度、設定温度および状態表示等を表示するとともに、操作ボタン２８ｄを介して設定値等の入力が行われる。また、表示ユニット２０は、図３に示すように、制御基板（基板）２１、ＬＥＤ（光源部）２２ａ，２２ｂ、反射シート（反射部）２３、導光板２４、反射枠体２６、拡散シ−ト２７、液晶表示パネル（表示パネル）２８、表示シート２９、および制御基板ユニット３０を有している。
【００３０】
（制御基板２１）
制御基板２１は、表示ユニット２０を構成する部材のうち最も背面側に設けられた板状の部材であって、図３に示すように、液晶表示パネル２８のバックライトとして設けられたＬＥＤ（光源部）２２ａ，２２ｂ、入力された各種信号に基づいて液晶駆動制御や温度調節制御等を行う制御回路が実装されている。
【００３１】
（ＬＥＤ２２ａ，２２ｂ）
ＬＥＤ２２ａ，２２ｂは、制御基板２１上における一辺（図３中の右辺）に沿って配置されており、制御基板２１の表面に沿って光を照射する。より具体的には、ＬＥＤ２２ａ，２２ｂは、反射シート２３上に配置された導光板２４の側面２４ａに対して光を照射する。
【００３２】
また、ＬＥＤ２２ａ，２２ｂは、図４に示すように、導光板２４の側面２４ａに対向する端面２２ａａ，２２ｂａに、光を照射する開口部２２ａｂ，２２ｂｂを有している。開口部２２ａｂ，２２ｂｂは、ＬＥＤ２２ａ，２２ｂの高さＨ（例えば、０．６ｍｍ）に対して高さｈ（例えば、０．４６ｍｍ）を有している。つまり、開口部２２ａｂ，２２ｂｂの高さｈは、ＬＥＤ２２ａ，２２ｂの高さＨに対して、約７６．７％の高さ寸法を有している。
【００３３】
そして、ＬＥＤ２２ａ，２２ｂの端面２２ａａ，２２ｂａに設けられた開口部２２ａｂ，２２ｂｂの下端部は、図４に示すように、端面２２ａａ，２２ｂａの高さ方向における下端部分のぎりぎりの位置に配置されている。このため、ＬＥＤ２２ａ，２２ｂが制御基板２１上に直接実装された構成では、光を照射する開口部２２ａｂ，２２ｂｂの下端部は、制御基板２１の表面付近に設けられる。
【００３４】
なお、光が入射する導光板２４の側面２４ａとは、導光板２４におけるＬＥＤ２２ａ，２２ｂと対向する側の面を意味している。
（反射シート２３）
反射シート２３は、表面に反射面を有するシ−ト状の部材であって、０．１０ｍｍ〜０．１５ｍｍの厚さを有している。反射シート２３は、図５および図６に示すように、制御基板２１上におけるＬＥＤ２２ａ，２２ｂに隣接する位置に設けられている。反射シート２３は、制御基板２１の表面に対して交差する方向に光を反射する機能を有している。
【００３５】
具体的には、反射シート２３は、導光板２４の背面２４ｄから制御基板２１側に出てきた光を反射して、再び導光板２４の内部へと誘導する。
これにより、制御基板２１と導光板２４との間に反射シート２３を設けたことで、導光板２４における反射枠体２６と対向する前面（発光面）２４ｂから液晶表示パネル２８の表示領域に照射される光量を増加させることができる。よって、液晶表示パネル２８の表示領域に表示される文字や数字等をより鮮明に表示することができる。
【００３６】
（導光板２４）
導光板２４は、アクリルやポリカーボネイト等の透明な樹脂によって射出成形された板状部材であって、１．５〜３．０ｍｍ程度の厚さを有している。また、導光板２４は、図５および図６に示すように、制御基板２１上に配置された反射シート２３上に積層配置されている。これにより、制御基板２１上に実装されたＬＥＤ２２ａ，２２ｂと比較して、反射シート２３の厚み分だけ、制御基板２１の表面から離れた位置に配置されている。
【００３７】
ここで、導光板２４は、ＬＥＤ２２ａ，２２ｂから照射された光を、ＬＥＤ２２ａ，２２ｂと対向する側面２４ａから内部に取り込むとともに、制御基板２１に対向配置された背面２４ｄの表面に形成されたドットパターン（光屈折部）（図７参照）によって入射してきた光を屈折させる。これにより、導光板２４は、液晶表示パネル２８に対向配置された前面２４ｂからほぼ均一な光を面照射することができる。
【００３８】
ここで、導光板２４の背面２４ｄの表面に形成されたドットパターンは、導光板２４の前面２４ｂから照射される光を面方向においてほぼ均一にするために、図７に示すように、ＬＥＤ２２ａ，２２ｂからの距離が大きくなるほど、ドットパターンの密度が大きくなるように形成されている。すなわち、背面２４ｄの表面に形成されたドットパターンは、光量の大きい側（ＬＥＤ２２ａ，２２ｂに近い側）から小さい側（ＬＥＤ２２ａ，２２ｂから遠い側）に向かって配置された４つの領域２４ｄａ，２４ｄｂ，２４ｄｃ，２４ｄｄにおいて、段階的にドット密度が大きくなるように形成されている。
【００３９】
これにより、ＬＥＤ２２ａ，２２ｂから離れた領域ほど、ドットパターンのドット密度が大きくなることから光を屈折させる効果を大きくすることができる。これにより、ＬＥＤ２２ａ，２２ｂを導光板２４の端部に設け、導光板２４の側面から光を入射させる構成であっても、導光板２４の前面から照射される光をほぼ均一にすることができる。
また、導光板２４は、図６および図８に示すように、ＬＥＤ２２ａ，２２ｂと対向配置された側面２４ａの液晶表示パネル２８側の上端部に、前面２４ｂの一部を凹状に切り欠いた切欠き部２４ｅを有している。
【００４０】
切欠き部２４ｅは、図６および図８に示すように、導光板２４の側面２４ａと前面２４ｂとが交差する部分に形成された段差部分であって、反射枠体２６の一部（被覆部２６ｂ）によってその液晶表示パネル２８側の上面が覆われる。
また、切欠き部２４ｅは、図６に示すように、ＬＥＤ２２ａ，２２ｂから斜め上方に向けて照射された光（図中２点鎖線矢印参照）が、側面２４ａを通過した後、拡散シート２７のない部分を通過して液晶表示パネル２８の背面側に入射されることを防止する。すなわち、ＬＥＤ２２ａ，２２ｂから斜め上方に向けて照射された光は、側面２４ａから導光板２４内に侵入した後、切欠き部２４ｅの部分において反射され、導光板２４内に戻される。
【００４１】
より詳細には、切欠き部２４ｅの部分には、反射枠体２６の一部（被覆部２６ｂ）が嵌め込まれているため、切欠き部２４ｅの部分に入射してきた光は、反射枠体２６の白色の壁面において反射して再び導光板２４内へと戻される。
これにより、導光板２４におけるＬＥＤ２２ａ，２２ｂ側の端部において、ＬＥＤ２２ａ，２２ｂから斜め上方に向けて照射された光が、拡散シート２７を通過せずに直接液晶表示パネル２８の背面側に入射されることを防止することができる。
【００４２】
さらに、導光板２４は、図５および図６に示すように、ＬＥＤ２２ａ，２２ｂに対向する側面２４ａの下端部に、背面２４ｄから制御基板２１側に向かって突出する突出部２５を有している。
（突出部２５）
突出部２５は、図５および図６に示すように、制御基板２１上に配置されたＬＥＤ２２ａ，２２ｂの光照射側の端面と、反射シート２３の端面との間に形成された隙間ｇ内に突出している。換言すれば、突出部２５は、導光板２４の背面２４ｄから制御基板２１側へ突出している。
【００４３】
突出部２５の導光板２４の背面２４ｄからの突出量は、反射シート２３の厚み分に相当する。
これにより、制御基板２１の表面付近まで突出部２５を設けることができるため、ＬＥＤ２２ａ，２２ｂの光を照射する開口部２２ａｂ，２２ｂｂの正面を覆うことができる。この結果、導光板２４が反射シート２３上に積層配置されていることで生じるＬＥＤ２２ａ，２２ｂの光照射側の端面２２ａａ，２２ｂａの正面に形成される隙間を、突出部２５によって埋めることができる。
【００４４】
また、突出部２５は、図６に示すように、側断面視において、側面２４ａの延長線と背面２４ｄの延長線とで直角部分を形成する直角三角形になるように形成されている。
さらに、突出部２５は、反射シート２３側からＬＥＤ２２ａ，２２ｂ側に向かって下方傾斜する傾斜面２５ａを有している。
傾斜面２５ａは、突出部２５の側断面の直角三角形の斜辺を構成する面であって、その傾斜角度は、制御基板２１の表面に対して、０度よりも大きく４５度以下の範囲になるように形成されている。
【００４５】
具体的には、傾斜面２５ａは、ＬＥＤ２２ａ，２２ｂ側から見て、ＬＥＤ２２ａ，２２ｂから反射シート２３に向かって制御基板２１の表面から離れる方向（液晶表示パネル２８側）に傾斜する。換言すれば、傾斜面２５ａは、ＬＥＤ２２ａ，２２ｂから反射シート２３に向かって、発光面となる前面２５ｂに近づく方向に傾斜している。
これにより、ＬＥＤ２２ａ，２２ｂの端面２２ａａ，２２ｂａから照射された光（図中直線矢印参照）は、図６に示すように、緩やかに登っていく傾斜面２５ａにおいて反射されるため、そのまま導光板２４内を進み、前面２４ｂから出射させることができる。
【００４６】
すなわち、本実施形態では、従来の構成では導光板２４内に取り込むことができなかったＬＥＤ２２ａ，２２ｂから照射される光、特に、光を照射する開口部２２ａｂ，２２ｂｂの制御基板２１側から照射される光を、突出部２５において内部に取り込むことができる。
この結果、ＬＥＤ２２ａ，２２ｂから照射された光の大部分を導光板２４内に取り込んで前面２４ｂから面照射することができるため、従来よりもＬＥＤ２２ａ，２２ｂと導光板２４との結合効率を高めて、ＬＥＤ２２ａ，２２ｂから照射された光の利用効率を向上させることができる。
【００４７】
（反射枠体２６）
反射枠体２６は、導光板２４の外縁部分を覆うように形成された額縁状の部材であって、白色の樹脂によって形成されている。
導光板２４の外縁部分から外部へ漏れ出そうとする光は、反射枠体２６の表面で反射して、再び導光板２４の内部へ誘導される。
【００４８】
また、反射枠体２６は、導光板２４の前面２４ｂ側から取り付けられており、導光板２４の前面２４ｂ側の外縁部に係止される。さらに、反射枠体２６は、額縁状の側壁部２６ａと、導光板２４の切欠き部２４ｅ上に配置される被覆部２６ｂとを有している。
側壁部２６ａは、導光板２４の外周を取り囲むように配置される枠体であって、図５に示すように、制御基板２１上に積層された状態において、ＬＥＤ２２ａ，２２ｂ，反射シート２３、導光板２４を内側に取り込むように配置される。
【００４９】
被覆部２６ｂは、側壁部２６ａを構成する枠体のＬＥＤ２２ａ，２２ｂ側の一辺から内側に向かって延伸するように形成された突出部分であって、導光板２４の前面２４ｂ端部に形成された切欠き部２４ｅ内に嵌まり込むように配置される。
これにより、導光板２４の切欠き部２４ｅ上に配置された反射枠体２６の被覆部２６ｂによって、導光板２４内における切欠き部２４ｅの部分に侵入してきた光を反射して導光板２４の内部へ戻すことができる。よって、導光板２４におけるＬＥＤ２２ａ，２２ｂと隣接する側の端部から光が漏れ出すことを防止することができる。
【００５０】
また、被覆部２６ｂは、図６に示す上下方向における厚みが、被覆部２６ｂが嵌め込まれる切欠き部２４ｅの深さとほぼ同等になるように形成されている。
これにより、被覆部２６ｂが切欠き部２４ｅに嵌め込まれた状態では、図５および図６に示すように、導光板２４の前面２４ｂと被覆部２６ｂの液晶表示パネル２８側の上面とは段差なくフラットな面を形成する。この結果、導光板２４の前面２４ｂの上に積層配置される拡散シート２７を、段差のないフラットな面上に配置することができる。よって、表示ユニット２０の厚み方向における寸法を少しでも小さくすることができる。
【００５１】
（拡散シート２７）
拡散シート２７は、液晶表示パネル２８に入射される光の面方向における照度ムラを低減するため設けられたシート状の部材であって、導光板２４の前面２４ｂから面照射された光が通過する際に、平面方向に拡散させる機能を有している。
また、拡散シート２７は、導光板２４の前面２４ｂ上に設けられている。すなわち、拡散シート２７は、導光板２４の前面２４ｂと、液晶表示パネル２８の背面側との間に挟まれるように配置されている。
【００５２】
（液晶表示パネル２８）
液晶表示パネル２８は、フロントケース１２の表示窓１２ａを介して外部から視認可能な表示領域を有している。そして、液晶表示パネル２８の表示領域には、設定温度表示部２８ａ、実測温度表示部２８ｂ、状態表示部２８ｃ、および操作ボタン２８ｄが配置されている。また、液晶表示パネル２８は、フロントケース１２内において、上下一対のゴムコネクタ３１を介して制御基板２１と電気的に接続されている。
【００５３】
設定温度表示部２８ａは、設置姿勢において、液晶表示パネル２８の表示領域における中央部やや右寄りの位置に配置されており、操作ボタン２８ｄを介して入力されたワーク（温度制御対象物）の目標温度を表示する。また、設定温度表示部２８ａは、緑色のセグメントによって数値が表示される。
実測温度表示部２８ｂは、設置姿勢において、液晶表示パネル２８の表示領域における上段部やや右寄りの位置に配置されており、温度センサ等によって検出されたワーク（温度制御対象物）の実測温度を表示する。また、実測温度表示部２８ｂは、白色のセグメントによって数値が表示される。
【００５４】
状態表示部２８ｃは、設置姿勢において、液晶表示パネル２８の表示領域における上段部から中段部にかけて左寄りの位置に９個配置されており、電源ＯＮ／ＯＦＦ状態、警報等の各種状態を表示する。また、状態表示部２８ｃは、各項目の表示を行う際にはそれぞれ黄色で点灯表示される。
操作ボタン２８ｄは、設置姿勢において、設定温度の入力や制御ユニットの操作等を行うために、温度調節器１０の前面における下段部に複数設けられている。
【００５５】
ここで、設定温度表示部２８ａ、実測温度表示部２８ｂ、状態表示部２８ｃのそれぞれの表示色については、例えば、光源部（ＬＥＤ）から照射される光の色によって変更する方法や、拡散シート２７や液晶表示パネル２８のガラス基板の一部を着色することで光の色を変更する方法によって、適宜、変更が可能である。このように、各表示部を異なる色によって表示することで、各表示部における表示を認識しやすくすることができる。
【００５６】
また、液晶表示パネル２８の表示領域における設定温度表示部２８ａおよび実測温度表示部２８ｂ、状態表示部２８ｃの表示は、液晶表示パネル２８の背面側に配置された制御基板２１の制御によって行われる。
すなわち、表示ユニット２０では、設定温度について、制御基板２１が、操作ボタン２８ｄの操作によって生成される操作信号を受信することで、設定温度表示部２８ａにデジタル表示させる。より具体的には、制御基板２１による液晶表示パネル２８の制御によって、設定温度表示部２８ａの表示を行うセグメントを、ＬＥＤ２２ａ，２２ｂから照射されて導光板２４の前面２４ｂから面照射される照明光によって背面側から透過表示することで、設定温度がデジタル表示される。
【００５７】
一方、温度制御対象となるワ−クの現在温度については、温度センサ等から送信される実測温度を示す信号を、制御基板ユニット３０を介して制御基板２１が受信することで、液晶表示パネル２８にワークの実測温度をデジタル表示させる。より具体的には、制御基板２１による液晶表示パネル２８の制御によって、実測温度表示部２８ｂの表示を行うセグメントを、ＬＥＤ２２ａ，２２ｂから照射されて導光板２４の前面２４ｂから面照射される照明光によって背面側から透過表示することで、実測温度がデジタル表示される。
【００５８】
ここで、ＬＥＤ２２ａ，２２ｂから照射された光は、導光板２４の側面２４ａから内部へ入射し、反射シート２３や反射枠体２６等によって導光板２４の前面２４ｂへと導かれる。そして、前面２４ｂから面照射された光は、拡散シート２７によって拡散され、背面側から液晶表示パネル２８に照射される。
これにより、液晶表示パネル２８の設定温度表示部２８ａ、実測温度表示部２８ｂ、および状態表示部２８ｃに数字や文字等をセグメント表示することができる。よって、作業者は、表示ユニット２０の液晶表示パネル２８に表示された設定温度、実測温度、状態表示等を目視することができる。
【００５９】
本実施形態の温度調節器１０では、導光板２４における液晶表示パネル２８と対向する前面から均一な光を面照射するために、以下のような構成を備えている。
すなわち、ＬＥＤ２２ａ，２２ｂから照射された光は、導光板２４の側面２４ａから導光板２４の内部へ入射する。そして、導光板２４内に入射した光は、背面２４ｄと前面２４ｂとの間で反射されながら導光板２４の内部を進行する。
【００６０】
本実施形態の温度調節器１０によれば、制御基板２１上における端部に実装されたＬＥＤ２２ａ，２２ｂは、対向配置された導光板２４の側面２４ａに向かって光を照射する。側面２４ａから入射した光は、導光板２４の前面２４ｂから面照射され、液晶表示パネル２８側へ進む。
これにより、導光板２４の前面２４ｂは、液晶表示パネル２８のバックライトとして機能し、液晶表示パネル２８の表示領域を背面側から照射することができる。この結果、ＬＥＤ２２ａ，２２ｂから液晶表示パネル２８の表示領域までの光路長を長くすることができるため、ＬＥＤ２２ａ，２２ｂから照射されるスポット光を、導光板２４の前面２４ｂからほぼ均一に照射される光に転換することができる。
【００６１】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、導光板２４の制御基板２１側の面から制御基板２１側へ突出する突出部２５として、側断面視において直角三角形となる導光板の一部を例として挙げて説明した。しかし、本発明はこれに限定されるものではない。
例えば、突出部の形状としては、側断面視において直角三角形に限られるものではなく、他の断面形状を有する部分であってもよい。
【００６２】
（Ｂ）
上記実施形態では、導光板２４と制御基板２１との間に設けられる反射部として、表面に反射面を有するシート状の反射シート２３を用いた例を挙げて説明した。しかし、本発明はこれに限定されるものではない。
反射部は、シート状の部材に限られるものではなく、例えば、基板上に光を反射する塗料を塗布した部分や印刷によって設けられた反射部等を反射部として用いてもよい。
【００６３】
（Ｃ）
上記実施形態では、光源部として、制御基板２１の端部に設けられた２つのＬＥＤ２２ａ，２２ｂを用いた例を挙げて説明した。しかし、本発明はこれに限定されるものではない。
例えば、ＬＥＤ以外の光源として、冷陰極管（ＣＣＦＬ）等を用いてもよい。
さらに、ＬＥＤの個数についても、１つでもよいし、３つ以上でもよい。
【００６４】
（Ｄ）
上記実施形態では、光源部として、同じ電流を流した場合に他色よりも照度が高く視認性が高い白色光を照射するＬＥＤ２２ａ，２２ｂを例として挙げて説明した。しかし、本発明はこれに限定されるものではない。
例えば、赤色や緑色、黄色等の色付きの光を照射するカラーＬＥＤを用いてもよい。また、基板上に複数のＬＥＤが設けられている場合には、表示領域ごとに色分けするために、異なる色のＬＥＤを配置してもよい。
【００６５】
（Ｅ）
上記実施形態では、導光板２４における制御基板２１に対向配置された背面２４ｄにドットパターン（光屈折部）が形成された例を挙げて説明した。しかし、本発明はこれに限定されるものではない。
例えば、導光板２４における前面２４ｂから面照射される光の均一性を向上させるために、ドットパターン（光屈折部）が形成される面は、背面２４ｄに限らず、導光板２４を構成する他の面であってもよい。
【００６６】
（Ｆ）
上記実施形態では、温度調節器１０の表示パネルとして、液晶表示パネル２８を用いた例を挙げて説明した。しかし、本発明はこれに限定されるものではない。
例えば、表示パネルとしては、有機ＥＬパネル等、他の表示パネルを用いてもよい。
【００６７】
（Ｇ）
上記実施形態では、本発明の一実施形態に係る電子機器、表示装置を搭載した制御機器として、温度調節器１０を例として挙げて説明した。しかし、本発明はこれに限定されるものではない。
例えば、電子機器としては、温度調節器以外にも、タイマやカウンタ等であってもよい。また、制御機器としては、数値を表示しながら各種制御を行う制御機器であれば温度調節器に限らず、各種制御機器に対して広く適用可能である。
【産業上の利用可能性】
【００６８】
本発明の電子機器は、従来よりも光源部から照射される光を効率よく取り込んで、光の利用効率を向上させることができるという効果を奏することから、光源部を備えた電子機器等に対して広く適用可能である。
【符号の説明】
【００６９】
１０      温度調節器（制御機器）
１１      筐体部
１２      フロントケース
１２ａ    表示窓
１２ｂ    支持枠体
１３      リアケース
１３ａ    端子台
１４      フロントカバー
２０      表示ユニット（表示装置）
２１      制御基板（基板）
２２ａ，２２ｂ  ＬＥＤ（光源部）
２２ａａ，２２ｂａ  端面
２２ａｂ，２２ｂｂ  開口部
２３      反射シート（反射部）
２４      導光板
２４ａ    側面
２４ｂ    前面（発光面）
２４ｃ    側面
２４ｄ    背面
２４ｄａ〜２４ｄｄ  領域
２４ｅ    切欠き部
２５      突出部
２５ａ    傾斜面
２６      反射枠体
２６ａ    側壁部
２６ｂ    被覆部
２７      拡散シ−ト
２８      液晶表示パネル（表示パネル）
２８ａ    設定温度表示部
２８ｂ    実測温度表示部
２８ｃ    状態表示部
２８ｄ    操作ボタン
２９      表示シート
３０      制御基板ユニット
３１      ゴムコネクタ
ｇ      隙間
【図１】
2015162429.tif 000003
【図２】
2015162429.tif 000004
【図３】
2015162429.tif 000005
【図４】
2015162429.tif 000006
【図５】
2015162429.tif 000007
【図６】
2015162429.tif 000008
【図７】
2015162429.tif 000009
【図８】
2015162429.tif 000010